(57)【特許請求の範囲】
【請求項１】
デジタル放送の録画再生装置であって、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声データの録画又は再生を制御する録画再生制御手段と
を有することを特徴とする録画再生装置。
【請求項２】
前記録画再生制御手段は、前記検出されたコンテンツの切り替え用のイベントメッセージに基づいて、本線側の映像・音声の特定シーンのイン点又はアウト点を検出し、前記特定シーンをスキップして、前記本線側の映像・音声を録画又は再生する手段であることを特徴とする請求項１に記載の録画再生装置。
【請求項３】
前記録画再生制御手段は、前記検出されたコンテンツの切り替え用のイベントメッセージに基づいて、本線側の映像・音声の特定シーンのイン点又はアウト点を検出し、前記特定シーンに代えて他の映像・音声を再生する手段であることを特徴とする請求項１又は請求項２に記載の録画再生装置。
【請求項４】
コンテンツの切り替え用のイベントメッセージを記録する記録手段を有し、
前記録画再生制御手段は、録画されている映像・音声を再生する際、記録されているコンテンツの切り替え用のイベントメッセージに基づいて、前記録画されている映像・音声の再生を制御する手段であることを特徴とする請求項１から請求項３のいずれかに記載の録画再生装置。
【請求項５】
デジタル放送の受信装置であって、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声の表示を制御する表示制御手段と
を有することを特徴とする受信装置。
【請求項６】
前記表示制御装置は、前記検出されたコンテンツの切り替え用のイベントメッセージに基づいて、本線側の映像・音声の特定シーンのイン点又はアウト点を検出し、前記特定シーンに代えて他の映像・音声を表示する手段であることを特徴とする請求項５に記載の受信装置。
【請求項７】
デジタル放送の録画再生制御方法であって、
データ放送で放送されるコンテンツの切り替え用のイベントメッセージを検出するステップと、
前記検出されたコンテンツの切り替え用のイベントメッセージに基づいて、本線側の映像・音声の特定シーンのイン点又はアウト点を検出し、本線側の映像・音声データの録画又は再生を制御するステップと
を有することを特徴とするデジタル放送の録画再生制御方法。
【請求項８】
デジタル放送の表示制御方法であって、
データ放送で放送されるコンテンツの切り替え用のイベントメッセージを検出するイベントメッセージ検出するステップと、
前記検出されたコンテンツの切り替え用のイベントメッセージに基づいて、本線側の映像・音声の特定シーンのイン点又はアウト点を検出し、本線側の映像・音声の表示を制御するステップと
を有することを特徴とするデジタル放送の表示制御方法。
【請求項９】
デジタル放送の録画再生装置の制御プログラムであって、
前記制御プログラムは、録画再生装置を、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声データの録画又は再生を制御する録画再生制御手段と
して機能させることを特徴とする録画再生装置の制御プログラム。
【請求項１０】
前記制御プログラムは、前記録画再生制御手段を、前記検出されたコンテンツの切り替え用のイベントメッセージに基づいて、本線側の映像・音声の特定シーンのイン点又はアウト点を検出し、前記特定シーンをスキップして、前記本線側の映像・音声を録画又は再生する手段として機能させることを特徴とする請求項９に記載の録画再生装置の制御プログラム。
【請求項１１】
前記制御プログラムは、前記録画再生制御手段を、前記検出されたコンテンツの切り替え用のイベントメッセージに基づいて、本線側の映像・音声の特定シーンのイン点又はアウト点を検出し、前記特定シーンに代えて他の映像・音声を再生する手段として機能させることを特徴とする請求項９又は請求項１０に記載の録画再生装置の制御プログラム。
【請求項１２】
前記制御プログラムは、録画再生装置を、コンテンツの切り替え用のイベントメッセージを記録する手段として機能させ、
更に、前記録画再生制御手段を、録画されている映像・音声を再生する際、記録されているコンテンツの切り替え用のイベントメッセージに基づいて、前記録画されている映像・音声の再生を制御する手段として機能させることを特徴とする請求項９から請求項１１のいずれかに記載の録画再生装置の制御プログラム。
【請求項１３】
デジタル放送の本線側の映像・音声を表示する受信装置の制御プログラムであって、
前記制御プログラムは、受信装置を、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声の表示を制御する表示制御手段と
して機能させることを特徴とする受信装置の制御プログラム。
【請求項１４】
前記制御プログラムは、前記表示制御装置を、前記検出されたコンテンツの切り替え用のイベントメッセージに基づいて、本線側の映像・音声の特定シーンのイン点又はアウト点を検出し、前記特定シーンに代えて他の映像・音声を表示する手段として機能させることを特徴とする請求項１３に記載の受信装置の制御プログラム。
【発明の詳細な説明】
【技術分野】
【０００１】
本発明は録画再生装置、受信装置及び制御方法と制御プログラムに関し、特にデジタル放送におけるデータ放送のイベントメッセージを用いた本線映像の録画、再生及び表示の制御の技術に関する。
【背景技術】
【０００２】
従来、放送される番組中のコマーシャル等の特定シーンを検出し、この特定シーンをスキップして録画したり、再生したりすることができる録画再生装置がある（例えば、先行技術文献１）。
【０００３】
【特許文献１】特開平３−１８４４８４号公報
【０００４】
これらの録画再生装置では、放送される番組中の音声モードや、ＶＩＴＣ（Vertical Interval Time Code）に挿入されるコマーシャル確認コードを検出することにより、コマーシャル等の特定シーンを検出し、そのシーンの録画をスキップしたりすることにより実現していた。
【発明の開示】
【発明が解決しようとする課題】
【０００５】
しかしながら、テレビ放送はアナログ放送からデジタル放送に移行しつつあり、デジタル放送では、音声モードの変更や、ＶＩＴＣが送出されず、従来の技術では特定シーンのスキップ録画や再生ができなかった。
【０００６】
そこで、本発明は上記課題に鑑みて発明されたものであって、その目的はデジタル放送であっても本編の番組中の特定シーンのみをスキップして録画又は再生することができる録画再生装置及び録画再生方法を提供することにある。
【課題を解決するための手段】
【０００７】
上記課題を解決する第１の発明は、デジタル放送の録画再生装置であって、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声データの録画又は再生を制御する録画再生制御手段と
を有することを特徴とする。
【０００８】
上記課題を解決する第２の発明は、上記第１の発明において、前記録画再生制御手段は、前記検出されたコンテンツの切り替え用のイベントメッセージに基づいて、本線側の映像・音声の特定シーンのイン点又はアウト点を検出し、前記特定シーンをスキップして、前記本線側の映像・音声を録画又は再生する手段であることを特徴とする。
【００１０】
上記課題を解決する第３の発明は、上記第１又は第２の発明において、前記録画再生制御手段は、前記検出されたコンテンツの切り替え用のイベントメッセージに基づいて、本線側の映像・音声の特定シーンのイン点又はアウト点を検出し、前記特定シーンに代えて他の映像・音声を再生する手段であることを特徴とする。
【００１１】
上記課題を解決する第４の発明は、上記第１から第３のいずれかの発明において、コンテンツの切り替え用のイベントメッセージを記録する記録手段を有し、
前記録画再生制御手段は、録画されている映像・音声を再生する際、記録されているコンテンツの切り替え用のイベントメッセージに基づいて、前記録画されている映像・音声の再生を制御する手段であることを特徴とする。
【００１４】
上記課題を解決する第５の発明は、デジタル放送の受信装置であって、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声の表示を制御する表示制御手段と
を有することを特徴とする。
【００１５】
上記課題を解決する第６の発明は、上記第５の発明において、前記表示制御装置は、前記検出されたコンテンツの切り替え用のイベントメッセージに基づいて、本線側の映像・音声の特定シーンのイン点又はアウト点を検出し、前記特定シーンに代えて他の映像・音声を表示する手段であることを特徴とする。
【００１７】
上記課題を解決する第７の発明は、デジタル放送の録画再生制御方法であって、
データ放送で放送されるコンテンツの切り替え用のイベントメッセージを検出するステップと、
前記検出されたコンテンツの切り替え用のイベントメッセージに基づいて、本線側の映像・音声の特定シーンのイン点又はアウト点を検出し、本線側の映像・音声データの録画又は再生を制御するステップと
を有することを特徴とする。
【００１８】
上記課題を解決する第８の発明は、デジタル放送の表示制御方法であって、
データ放送で放送されるコンテンツの切り替え用のイベントメッセージを検出するイベントメッセージ検出するステップと、
前記検出されたコンテンツの切り替え用のイベントメッセージに基づいて、本線側の映像・音声の特定シーンのイン点又はアウト点を検出し、本線側の映像・音声の表示を制御するステップと
を有することを特徴とする。
【００１９】
上記課題を解決する第９の発明は、デジタル放送の録画再生装置の制御プログラムであって、
前記制御プログラムは、録画再生装置を、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声データの録画又は再生を制御する録画再生制御手段と
して機能させることを特徴とする。
【００２０】
上記課題を解決する第１０の発明は、上記第９の発明において、前記制御プログラムは、前記録画再生制御手段を、前記検出されたコンテンツの切り替え用のイベントメッセージに基づいて、本線側の映像・音声の特定シーンのイン点又はアウト点を検出し、前記特定シーンをスキップして、前記本線側の映像・音声を録画又は再生する手段として機能させることを特徴とする。
【００２２】
上記課題を解決する第１１の発明は、上記第９又は第１０の発明において、前記制御プログラムは、前記録画再生制御手段を、前記検出されたコンテンツの切り替え用のイベントメッセージに基づいて、本線側の映像・音声の特定シーンのイン点又はアウト点を検出し、前記特定シーンに代えて他の映像・音声を再生する手段として機能させることを特徴とする。
【００２３】
上記課題を解決する第１２の発明は、上記第９から第１１の発明において、前記制御プログラムは、録画再生装置を、コンテンツの切り替え用のイベントメッセージを記録する手段として機能させ、
更に、前記録画再生制御手段を、録画されている映像・音声を再生する際、記録されているコンテンツの切り替え用のイベントメッセージに基づいて、前記録画されている映像・音声の再生を制御する手段として機能させることを特徴とする。
【００２６】
上記課題を解決する第１３の発明は、デジタル放送の本線側の映像・音声を表示する受信装置の制御プログラムであって、
前記制御プログラムは、受信装置を、
データ放送で放送されるコンテンツの切り替え用のイベントメッセージを検出するイベントメッセージ検出手段と、
前記検出されたコンテンツの切り替え用のイベントメッセージに基づいて、本線側の映像・音声の特定シーンのイン点又はアウト点を検出し、本線側の映像・音声の表示を制御する表示制御手段と
して機能させることを特徴とする。
【００２７】
上記課題を解決する第１４の発明は、上記第１３の発明において、前記制御プログラムは、前記表示制御装置を、前記検出されたコンテンツの切り替え用のイベントメッセージに基づいて、本線側の映像・音声の特定シーンのイン点又はアウト点を検出し、前記特定シーンに代えて他の映像・音声を表示する手段として機能させることを特徴とする。
【発明の効果】
【００２９】
本発明によれば、デジタル放送であっても本編の番組中の特定シーンのみをスキップして録画、再生又は表示することができる。
【００３０】
また、本発明によれば、特定シーンを他のシーンに代えて再生又は表示することもできる。
【発明を実施するための最良の形態】
【００３１】
本発明は、放送されるイベントメッセージを検出し、これにより、受信している本線側の映像・音声データの録画、再生又は表示を制御することを特徴とする。
【００３２】
使用されるイベントメッセージとしては、データ放送のコンテンツの切り替え用のイベントメッセージが考えられる。又、他の例として、録画再生装置の録画を直接制御するイベントメッセージ、例えば、録画の停止・開始を制御するイベントメッセージや、特定シーンのイン点やアウト点を特定するイベントメッセージも考えられる。尚、同様な機能を達成するイベントメッセージであれば、他のものであっても良い。
【００３３】
また、本発明は、放送されるイベントメッセージを検出し、これにより、本線側の映像・音声の特定シーンのイン点又はアウト点を検出し、イン点又はアウト点に関するメタデータを生成する。そして、このメタデータに基づいて、特定シーンをスキップして、録画されている映像・音声を再生することを特徴とする。
【００３４】
使用されるイベントメッセージとしては、上述と同様に、データ放送のコンテンツの切り替え用のイベントメッセージが考えられる。又は、録画再生装置の録画を制御するイベントメッセージ、例えば、録画の停止・開始を制御するイベントメッセージや、特定シーンのイン点やアウト点を特定するイベントメッセージも考えられる。尚、同様な機能を達成するイベントメッセージであれば、他のものであっても良い。
【００３５】
以下、具体的な実施例を詳細に説明する。尚、以下の実施例の説明において、特定映像を、コマーシャル映像を例にして説明するが、これに限ることなく、本編の番組の特定シーン等でもかまわない。
【実施例１】
【００３６】
本発明にかかる実施例１の録画再生装置について説明する。
【００３７】
実施例１では、使用するイベントメッセージとして、データ放送のコンテンツの切り替え用のイベントメッセージを例にして説明する。
【００３８】
まず、本発明の録画再生装置が適用されるデジタル放送について説明する。
【００３９】
デジタル放送での番組は、本線映像、本線音声、データ放送のデータ等から構成される。データ放送のデータは、ＢＭＬ（Broadcast Markup Language）で記述され、ＢＭＬファイルや音声、画像、データファイルやイベントメッセージ等が集まって１つのデータ放送コンテンツとなる。データ放送の番組は、本線（いわゆる通常のテレビ放送）と同期した関連した内容である場合と、本線とは別の内容である場合とがあるが、通常は本線（いわゆる通常のテレビ放送）と同期した関連した内容である。
【００４０】
図１はデジタル放送におけるドラマ放送時（本線側）の表示画面の一例であり、図２はデジタル放送におけるコマーシャル映像放送時（本線側）の表示画面の一例である。
【００４１】
図１に示されるように、ドラマ番組を放送中は、データ放送もドラマ用のコンテンツが表示されている。ドラマ番組の放送からコマーシャル放送に切り替わる際、データ放送も、ドラマ番組用のコンテンツからコマーシャル用のコンテンツに切り替わり、図２に示す如く、コマーシャル用のコンテンツが表示される。
【００４２】
データ放送のコンテンツ表示を切り替える為のトリガ信号としては、イベントメッセージが用いられる。このイベントメッセージは、番組のあるタイミングで、データ放送コンテンツの表示を変更させるなどの目的で使用される。
【００４３】
図３は、図１、２に示される表示の例をタイムチャート化して表したものである。本線映像がドラマ→コマーシャル→ドラマと変化するのに同期して、コンテンツ表示切り替え用のイベントメッセージが放送局から送出される。通常のデジタル放送受信機では、その表示切り替え用のイベントメッセージを受信し、イベントメッセージに同期するかたちでデータ放送のコンテンツも切り替えられる。
【００４４】
本実施例１の録画・再生装置は、上述のデータ放送におけるコンテンツ切り替え用のイベントメッセージを特定シーンの検出に用い、特定シーンのみをスキップして録画・再生したり、特定シーンのみを録画・再生したりすることができる。
【００４５】
図４に実施例１における録画・再生装置のブロック図の一例を示す。
【００４６】
実施例１の録画・再生装置は、図４に示される如く、チューナー部１０と、復調部１１と、ＴＳデコード１２と、MPEGデコーダ１３と、イベントメッセージ検出部１４と、録画再生制御部１５と、ハードディスク１６と、指示等の入力部１７とを有する。
【００４７】
このような構成において、チューナー部１０および復調部１１で選局を行い、一つのＴＳストリームを選択する。ＴＳデコード１２により所望のパケットを選択することにより、特定のチャンネルの特定の番組を選択する。本線映像・音声信号はMPEGデコーダ１３によりデコードされて外部のモニタ１８により表示される。
【００４８】
イベントメッセージ検出部１４は、データ放送のコンテンツ切り替え用のイベントメッセージを検出するものである。このイベントメッセージの検出は、録画再生制御部１５に入力され、録画再生制御部１５の制御により、コマーシャルがスキップされた番組の映像がハードディスク１６に格納される。尚、イベントメッセージ検出部１４は、例えば、データカルーセルデコーダでも行なうことができる。
【００４９】
上述のように構成された録画・再生装置の動作を、図面を参照して説明する。
【００５０】
図５は動作のフローチャートであり、図６はタイムチャートである。
【００５１】
まず、ユーザにより入力部１７を介して、チャンネル情報及びコマーシャルのスキップ録画の指示が、録画・再生制御部１５に入力される（Ｓｔｅｐ  １００）。
【００５２】
録画再生制御部１５は、イベントメッセージ検出部１４からの検出信号がない状態では、入力される映像・音声データをハードディスク１６に格納して録画する（Ｓｔｅｐ  １０１）。
【００５３】
イベントメッセージ検出部１４はデータ放送のコンテンツ切り替え用のイベントメッセージを監視し（Ｓｔｅｐ  １０２）、コマーシャル開始時のコンテンツ切り替え用のイベントメッセージを検出すると（Ｓｔｅｐ  １０３）、そのイベントメッセージが検出されたことを示す検出信号を録画再生制御部１５に出力する（Ｓｔｅｐ  １０４）。
【００５４】
録画再生制御部１５は、イベントメッセージ検出部１４からコンテンツ切り替え用のイベントメッセージをの検出信号を受けると（Ｓｔｅｐ  １０５）、図６に示される如く、入力される映像・音声データのハードディスク１６への格納を止めて録画を中止する（Ｓｔｅｐ  １０６）。
【００５５】
一方、イベントメッセージ検出部１４はデータ放送のコンテンツ切り替え用のイベントメッセージを引き続き監視し（Ｓｔｅｐ  １０２）、コマーシャル終了時のコンテンツ切り替え用のイベントメッセージを検出すると（Ｓｔｅｐ  １０３）、そのイベントメッセージが検出されたことを示す検出信号を録画再生制御部１５に出力する（Ｓｔｅｐ  １０４）。
【００５６】
録画再生制御部１５は、イベントメッセージ検出部１４から、コマーシャル終了時のコンテンツ切り替え用のイベントメッセージの検出信号を受けると（Ｓｔｅｐ  １０５）、図６に示される如く、入力される映像・音声データのハードディスク１６への格納を再開して録画を開始する（Ｓｔｅｐ  １０１）。
【００５７】
このように動作することにより、録画された本線の映像・音声は、コマーシャルがスキップ（カット）されたものであり、コマーシャルがスキップ（カット）された映像・音声を再生することができ、デジタル放送による録画であっても、アナログ放送時と同様にコマーシャル等の特定映像をスキップして録画することができる。
【００５８】
また、記録するデータの形式も、デジタルデータ（ＴＳ）をそのまま記録しても良いし、他の形式に変換した後に記録するようにしても良い。
【実施例２】
【００５９】
上述した実施例１では、使用するイベントメッセージとして、データ放送のコンテンツの切り替え用のイベントメッセージを例にして説明したが、録画を直接制御するイベントメッセージを用いても同様な効果を得られる。録画を直接制御するイベントメッセージを用いる場合、イベントメッセージ検出部１４を録画制御用のイベントメッセージを検出できるように構成し、そして、録画再生制御部１５が検出されたイベントメッセージを解読して、録画の停止、開始を制御するように構成する。
【００６０】
以下、詳細に説明する。
【００６１】
イベントメッセージ検出部１４における、録画制御用のイベントメッセージの検出方法であるが、イベントメッセージには、それを伝送しているＥＳ(Elementary Stream)があり、ＰＩＤ（Packet Identifier）または、コンポーネントタグ値でフィルタリングを行なうことで、イベントメッセージを取りだすことができる。そして、メッセージＩＤやメッセージバージョンなどから必要な録画制御用のイベントメッセージのみを取り出すことが可能である。
【００６２】
例えば、イベントメッセージを伝送しているＰＩＤ値、またはコンポーネントタグ値が、  ＰＩＤ値：0x0200  または  コンポーネントタグ値0x51  であり、録画制御用のイベントメッセージが、イベントメッセージID：200である場合、あるＴＳ(Transport
Stream)中からPID値：0x0200  または  コンポーネントタグ値0x51でフィルタリングを行い、イベントメッセージを取りだす。そして、イベントメッセージIDが200のイベントメッセージを検出して録画制御用のイベントメッセージを取り出す。
【００６３】
このようにして、録画制御用のイベントメッセージを検出する。
【００６４】
また、録画再生制御部１５の制御であるが、上記のＰＩＤ値、メッセージＩＤなどのフィルタリング後、さらにイベントメッセージセクションの中のプライベートデータバイト（ＰＤＢ）の領域に記述されたＣＭ切り替えタイミングを示すタイミング情報や、絶対時間（11:30:00等）、ＰＣＲ(Program
Clock Reference)値またはＮＰＴ(Normal Play time)値（0x01FEA）や、番組開始からの時間などが記述された情報に基づいて、タイミングや動作を判定して制御する。
【００６５】
例えば、イベントメッセージセクションの中のプライベートデータバイト（ＰＤＢ）の領域に、録画スタート、録画ストップの制御データと、その制御の開始する絶対時間とを記述する。すなわち、ＰＤＢに”Rec_stop_113030”とあれば、コマーシャルが１１時３０分３０秒から開始されるので１１時３０分３０秒に本線の録画を中止させることを意味し、録画再生制御部１５は１１時３０分３０秒に本線の録画を中止するように制御する。また、ＰＤＢに”Rec_start_113100”とあれば、コマーシャルが１１時３１分００秒に終了するので１１時３１分００秒から本線の録画を再開させることを意味し、録画再生制御部１５は１１時３１分００秒から本線の録画を再開するように制御する。
【００６６】
このような動作のフローチャートを、図７に示す。
【００６７】
まず、イベントメッセージを伝送しているＰＩＤ値から録画制御用のイベントメッセージを検出する（Ｓｔｅｐ  ２００）。図７では、上述の例に従い、イベントメッセージＩＤが200のものを検出する（Ｓｔｅｐ  ２０１）。
【００６８】
次に、検出されたイベントメッセージのＰＤＢのデータの値を検出する（Ｓｔｅｐ  ２０２）。ＰＤＢのデータが”Rec_stop_”であるならば（Ｓｔｅｐ  ２０３）、１０バイトから１５バイトに記述されている制御時刻を検出し（Ｓｔｅｐ  ２０４）、その時刻になったら録画を中止する（Ｓｔｅｐ  ２０５）。一方、ＰＤＢのデータが”Rec_start_”であるならば（Ｓｔｅｐ  ２０６）、１１バイトから１６バイトに記述されている制御時刻を検出し（Ｓｔｅｐ  ２０７）、その時刻になったら録画を再開する（Ｓｔｅｐ  ２０８）。
【００６９】
このようにして、録画制御用のイベントメッセージで、特定シーンの録画を制御する。
【００７０】
尚、制御時間として絶対時間を例にして説明したが、ＮＰＴ値であっても良い。例えば、PDBの絶対時間の代わりに「0x01FEA」のようなＮＰＴ値を記述し、ＮＰＴ値が「0x01FEA」なったら録画の制御を行なうように構成しても良い。
【００７１】
また同様に、PCR値で直接制御するようにしても良い。
【実施例３】
【００７２】
本発明にかかる実施例３の録画再生装置について説明する。
【００７３】
実施例１、２の録画再生装置では、データ放送のイベントメッセージを、例えば、コマーシャル等の特定シーンの検出に用い、その特定シーンをスキップして録画するように構成した。
【００７４】
実施例３では、データ放送のイベントメッセージを、例えば、コマーシャル等の特定シーンの検出に用い、この特定シーンのイン点及びアウト点をメタデータとして録画時に記録する。そして、再生時にそのメタデータを用いて、特定シーンをスキップして再生するように構成したことを特徴とする。
【００７５】
上記のような特徴を達成する為に、図８に示される如く、実施例３の録画再生装置は、実施例１の構成に加え、メタデータ生成部２０を有する。更に、録画再生制御部１５は、メタデータ生成部２０によって生成されたメタデータに基づいて、特定シーンをスキップしながら再生を行なうように構成される。
【００７６】
以下、構成を詳細に説明する。
【００７７】
録画再生制御部１５は、本線の番組録画の際、映像・音声データ位置又は時刻情報を記録しながら、映像・音声データを録画する。この位置又は時刻情報は、映像データのタイムコードでも良いし、フレーム番号でもかまわない。
【００７８】
メタデータ生成部２０は、イベントメッセージ検出部１４からデータ放送のコマーシャル切り替え用のイベントメッセージを受信すると、その受信時に対応した、例えば、コマーシャルのイン点及びアウト点の位置又は時刻情報を生成する。この位置又は時刻情報は、上述したタイムコード、フレーム番号である。そして、これらの情報は、録画している番組の識別情報（例えば、チャンネル情報）とともにメタデータとして番組の映像・音声データとともに、ハードディスク１６に格納される。
【００７９】
図９にメタデータの一例を示す。このメタデータでは、チャンネル情報がＡチャンネル、放送開始時刻が１０：００：００、コマーシャルのイン点が１０：３０：００、アウト点が１０：３３：００を示している。
【００８０】
一方、録画した番組の再生時には、録画再生制御部１５が、メタデータを読み出し、このメタデータに記載されているコマーシャルのイン点及びアウト点の位置又は時刻情報に基づいて、再生を制御する。例えば、図９に示されるメタデータでは、再生開始後、タイムコードが１０：３０：００から１０：３３：００の間の映像・音声をスキップする。
【００８１】
このように、イベントメッセージをメタデータに利用することにより、特定シーンのスキップ再生を実現することができる。
【００８２】
尚、上述の実施例では、メタデータとしてタイムコードの情報を用いたが、これに限ることなく、例えば、イン点とアウト点の映像に識別情報を付してメタデータを生成し、再生時にその識別情報の付された映像間をスキップして再生するように構成しても良い。
【００８３】
また、イン点とアウト点との間の映像の全てに識別情報を付してメタデータを生成し、再生時にその識別情報の付された全ての映像をスキップして再生するように構成しても良い。
【００８４】
更に、イベントメッセージとして、データ放送のコンテンツ切り替え用のイベントメッセージを用いたが、実施例２で説明した如く、録画制御用のイベントメッセージを用いてメタデータを生成するようにしても良い。
【実施例４】
【００８５】
本発明の実施例４を説明する。
【００８６】
実施例４では、上述した実施例１、２及び実施例３と異なり、本線の映像・音声を録画する際にイベントメッセージの検出は行なわず、一旦全ての映像・音声とイベントメッセージとを記録する。そして、再生時に記録されたものの中から、イベントメッセージを検出して特定シーンのスキップを行なうことを特徴とする。
【００８７】
このような特徴を達成するため、実施例４では、図１０に示す如く、全ての映像・音声とイベントメッセージとは、録画再生制御部１５を介して、ハードディスク１６に記録されるように構成されている。
【００８８】
また、録画再生制御部１５とハードディスク１６との間にイベントメッセージ検出部１４を設け、再生時にデータを読み出す際に、イベントメッセージを検出するように構成する。そして、検出されたイベントメッセージに基づいて、録画再生制御部１５は特定シーンのイン点及びアウト点を特定し、その特定シーンをスキップ再生するように構成する。
【００８９】
このような構成であっても、上述した実施例と同様に、特定シーンのスキップ再生を実現することができる。
【００９０】
尚、本実施例４において、再生時に実施例２と同様なメタデータを作成し、２回目以降の再生については、作成したメタデータを用いてスキップ再生を行なっても良い。
【実施例５】
【００９１】
本発明の実施例５を説明する。
【００９２】
上述した実施例１から実施例４では、映像・音声シーンの特定シーン、例えば、コマーシャル等をスキップして再生するように構成した。これは、特定シーンのイン点及びアウト点が検出できるからであり、この特定シーンのイン点及びアウト点の検出を他にも応用することができる。そこで、実施例５では、イン点及びアウト点で特定される特定シーンに代えて他の特定シーンを再生することができるように構成したことを特徴とする。
【００９３】
図１１は実施例５の構成を示すブロック図である。
【００９４】
実施例５の構成は、基本的には上述した実施例と同様なものであるが、異なる所はハードディスク１６にスキップする特定シーンの差替え用のコンテンツ３０が記憶されている点である。また、録画再生制御部１５は、メタデータ生成部２０により生成された本線側の番組のメタデータに基づいて差替える特定シーンを特定し、その部分を差替え用のコンテンツに差替えて再生するように構成される。
【００９５】
以下、具体的な動作を説明する。尚、説明にあたって、差替え用のコンテンツ３０には、スキップされるコマーシャルと同じ時間の他のコマーシャルが、ハードディスク１６に記憶されているものとする。
【００９６】
まず、メタデータ生成部２０は、イベントメッセージ検出部１４からデータ放送のコマーシャル切り替え用のイベントメッセージを受信すると、その受信時に対応した、例えば、コマーシャルのイン点及びアウト点の位置又は時刻情報を生成する。この位置又は時刻情報は、上述したタイムコードである。そして、これらの情報は、録画している番組の識別情報（例えば、チャンネル情報）とともにメタデータとして番組の映像・音声データとともに、ハードディスク１６に格納される。
【００９７】
ここで、生成されたメタデータが図９に示すメタデータであるものとし、このメタデータがハードディスク１６に記憶されるものとする。
【００９８】
録画した番組の再生時には、録画再生制御部１５が、メタデータを読み出し、このメタデータに記載されているコマーシャルのイン点及びアウト点の位置又は時刻情報に基づいて、映像・音声データのタイムコードが１０：３０：００になると、差替え用コンテンツ３０（他のコマーシャル）を読出し、この差替え用コンテンツ３０（他のコマーシャル）をスキップされるコマーシャルに代えて再生する。そして、録画再生制御部１５内部のカウンタにより、差替え用コンテンツ３０（他のコマーシャル）の再生開始より、３：００経過すると、差替え用コンテンツ３０（他のコマーシャル）の再生を中止し、本線側のタイムコードが１０：３３：００の映像・音声データから再生を開始する。
【００９９】
このようにして、動作することにより、番組放映時のコマーシャルを他のコマーシャル、例えば視聴者の在住している地域に密着したコマーシャルに差替えることもできる。
【０１００】
また、上述の説明では、差替え用コンテンツ３０の再生時間が、スキップする特定シーンの再生時間と同じものを用いたが、これに限る必要はなく、再生時間が短いものであっても、長いものであっても良い。これは、本線側の番組は既に録画されているので、差替え用コンテンツ３０の再生時間に応じて自由に再生を調整できるからである。
【０１０１】
以上の如く、本発明の実施例の説明を終わるが、実施例１、実施例２、実施例３、実施例４及び実施例５で説明したイベントメッセージ検出部１４、録画再生制御部１５、メタデータ生成部２０等を制御プログラムで動作するＣＰＵ等で構成しても良い。尚、制御プログラムは、初めから録画制御装置に組み込まれていても良いし、後日放送等により、制御プログラムを入手して録画制御装置に組み込む構成としても良い。
【０１０２】
また、実施例１、実施例２、実施例３、実施例４及び実施例５では、録画再生装置について記載したが、録画機能を持たない、例えばテレビのような受信装置であっても本発明は適用可能である。この場合、録画機能はないので、録画再生制御部１５に代わりに表示制御の機能をもつ表示制御部を設け、この表示制御部に本線側の映像・音声データの表示を、上述した実施例と同様にイベントメッセージにより制御して、特定シーンをスキップしたり、他のシーンに差し替えたりするように構成すれば良い。
【産業上の利用可能性】
【０１０３】
本発明によれば、デジタル放送において、アナログ放送と同様な特定シーンをスキップして録画・再生することができる録画再生装置を提供することができる。
【図面の簡単な説明】
【０１０４】
【図１】図１はデジタル放送におけるドラマ放送時（本線側）の表示画面の一例である。
【０１０５】
【図２】図２はデジタル放送におけるコマーシャル映像放送時（本線側）の表示画面の一例である。
【０１０６】
【図３】図３は図１、２に示される表示の例をタイムチャート化して表した図である。
【０１０７】
【図４】図４は実施例１における録画・再生装置のブロック図の一例を示す図である。
【０１０８】
【図５】図５は実施例１の動作のフローチャートである。
【０１０９】
【図６】図６は実施例１のタイムチャートである。
【０１１０】
【図７】図７は実施例２のフローチャートである。
【０１１１】
【図８】図８は実施例３における録画・再生装置のブロック図の一例を示す図である。
【０１１２】
【図９】図９はメタデータの一例を示した図である。
【０１１３】
【図１０】図１０は実施例４における録画・再生装置のブロック図の一例を示す図である。
【０１１４】
【図１１】図１１は実施例５の構成を示すブロック図である。
【符号の説明】
【０１１５】
１０        チューナー部
１１        復調部
１２        ＴＳデコード部
１３        MPEGデコーダ
１４        イベントメッセージ検出部
１５        録画再生制御部
１６        ハードディスク
１７        入力部
２０        メタデータ生成部
【図１】
0004656481.tif 000002
【図２】
0004656481.tif 000003
【図３】
0004656481.tif 000004
【図４】
0004656481.tif 000005
【図５】
0004656481.tif 000006
【図６】
0004656481.tif 000007
【図７】
0004656481.tif 000008
【図８】
0004656481.tif 000009
【図９】
0004656481.tif 000010
【図１０】
0004656481.tif 000011
【図１１】
0004656481.tif 000012